(57)【要約】【課題】発光素子の光の照射による感光体の電位変化量を適切に制御することを可能として、良好な画像形成を実現する技術を提供する。【解決手段】発光素子および当該発光素子を制御信号に応じて発光させる発光制御部を有する露光ヘッドと、露光ヘッドの発光素子が発光した光に感光して潜像が形成される感光体および感光体の分光感度に基づいて制御信号を補正する補正データを記憶するメモリーを有する感光体ユニットと、メモリーから読み出した補正データに基づいて制御信号を補正する補正部と、感光体に形成された潜像を現像する現像部と、を備えた。【選択図】図５
2011085775.tif 000002
【特許請求の範囲】
【請求項１】
発光素子および前記発光素子を制御信号に応じて発光させる発光制御部を有する露光ヘッドと、
前記露光ヘッドの前記発光素子が発光した光に感光して潜像が形成される感光体および前記感光体の分光感度に基づいて前記制御信号を補正する補正データを記憶するメモリーを有する感光体ユニットと、
前記メモリーから読み出した前記補正データに基づいて前記制御信号を補正する補正部と、
前記感光体に形成された前記潜像を現像する現像部と、
を備えたことを特徴とする画像形成装置。
【請求項２】
前記感光体ユニットは装置本体に対して着脱自在であり、
前記補正部は、前記感光体ユニットが装置本体に装着されると、当該感光体ユニットの前記メモリーから前記補正データを読み出して、当該補正データに基づいて前記制御信号を補正する請求項１に記載の画像形成装置。
【請求項３】
前記感光体ユニットは、前記感光体の分光分布に対応付けられた指標値を前記補正データとして前記メモリーに記憶し、
前記補正部は、前記指標値が示す前記感光体の分光感度を記憶し、前記感光体ユニットが装置本体に装着されると、当該感光体ユニットの前記メモリーから前記指標値を読み出して、当該指標値に対応する前記感光体の分光感度に基づいて前記制御信号を補正する請求項２に記載の画像形成装置。
【請求項４】
前記発光素子の分光分布に対する前記感光体の分光感度に基づいて前記制御信号を補正する請求項３に記載の画像形成装置。
【請求項５】
前記補正部は、前記発光素子の分光分布の重心波長での前記感光体の前記分光感度に基づいて前記制御信号を補正する請求項４に記載の画像形成装置。
【請求項６】
前記補正部は、前記発光素子の分光分布のピーク波長での前記感光体の前記分光感度に基づいて前記制御信号を補正する請求項４に記載の画像形成装置。
【請求項７】
発光素子の発光を制御する制御信号を感光体の分光感度に基づいて補正する補正データを、前記感光体を有する感光体ユニットに配設されたメモリーから読み出す第１の工程と、
前記第１の工程で読み出された前記補正データに基づいて前記制御信号を補正する第２の工程と、
前記第２の工程で補正された前記制御信号に応じて発光する前記発光素子からの光に前記感光体を感光させて、前記感光体に潜像を形成する第３の工程と、
前記第３の工程で形成された前記潜像を現像する第４の工程と、
を備えたことを特徴とする画像形成方法。
【発明の詳細な説明】
【技術分野】
【０００１】
この発明は、発光素子からの光に感光体を感光させて潜像を形成する画像形成装置および画像形成方法に関する。
【背景技術】
【０００２】
従来、感光体が光により感光して電位変化を起こす性質を利用して、感光体に潜像を形成する画像形成装置が提案されている。例えば特許文献１の画像形成装置では、所定方向に並ぶ複数の発光素子を備えた露光ヘッドが感光体に対向して配置されており、各発光素子からの光が感光体表面にスポット状に照射されて、この光の照射部分の電位が変化する。そして、形成すべき潜像に応じた箇所の電位を光の照射により変化させることで、感光体表面に潜像を形成することができる。さらに、この画像形成装置は、こうして形成した潜像にトナーを付着させることで、当該潜像を画像として現像する。
【先行技術文献】
【特許文献】
【０００３】
【特許文献１】特開２００８−２３８６３３号公報
【発明の概要】
【発明が解決しようとする課題】
【０００４】
ところで、現像時に付着するトナーの量は、感光体表面の電位変化量に依存する。したがって、画像を良好に形成するにあたっては、発光素子の光の照射による感光体の電位変化量を精度良く制御することが重要となる。なぜなら、この電位変化量が所定の変化量から大きく異なると、適切量のトナーを付着させることができず、その結果、画像濃度が大きくずれてしまう等して、所望の画像を得られないからである。
【０００５】
ただし、感光体の電位変化量を制御するにあっては、感光体の分光感度が問題となる場合があった。つまり、感光体の電位変化量は、光に対する感光体の感度、すなわち分光感度に依存する。したがって、分光感度が異なると、感光体の電位変化量も異なることとなる。しかしながら、感光体の分光感度は、個体差があって感光体によって異なる。そのため、感光体の電位変化量を適切に制御できずに、良好な画像形成ができなくなるおそれがあった。
【０００６】
この発明は上記課題に鑑みてなされたものであり、発光素子の光の照射による感光体の電位変化量を適切に制御することを可能として、良好な画像形成を実現する技術の提供を目的とする。
【課題を解決するための手段】
【０００７】
この発明にかかる画像形成装置は、上記目的を達成するために、発光素子および当該発光素子を制御信号に応じて発光させる発光制御部を有する露光ヘッドと、露光ヘッドの発光素子が発光した光に感光して潜像が形成される感光体および感光体の分光感度に基づいて制御信号を補正する補正データを記憶するメモリーを有する感光体ユニットと、メモリーから読み出した補正データに基づいて制御信号を補正する補正部と、感光体に形成された潜像を現像する現像部と、を備えたことを特徴としている。
【０００８】
また、この発明にかかる画像形成方法は、上記目的を達成するために、発光素子の発光を制御する制御信号を感光体の分光感度に基づいて補正する補正データを、感光体を有する感光体ユニットに配設されたメモリーから読み出す第１の工程と、第１の工程で読み出された補正データに基づいて制御信号を補正する第２の工程と、第２の工程で補正された制御信号に応じて発光する発光素子からの光に感光体を感光させて、感光体に潜像を形成する第３の工程と、第３の工程で形成された潜像を現像する第４の工程と、を備えたことを特徴としている。
【０００９】
このように構成された発明（画像形成装置、画像形成方法）では、制御信号に応じて発光する発光素子からの光に感光体が感光することで、この光の照射範囲の電位が変化して、潜像が形成される。したがって、上述したように、感光体の分光感度の個体差に起因して、感光体の電位変化量を適切に制御できないおそれがあった。これに対して、この発明では、感光体を有する感光体ユニットにメモリーが配設されており、しかも、このメモリーには、感光体の分光感度に基づいて制御信号を補正する補正データが記憶されている。そして、この補正データに基づいて補正された制御信号に応じて発光素子が発光した光が、感光体に照射される（補正部、第３の工程）。その結果、感光体の分光感度が個体差によって異なったとしても、感光体の電位変化量を適切に制御して、良好な画像を形成することが可能となっている。
【００１０】
ところで、感光体が劣化したような場合に感光体を取替えできるように、感光体ユニットを装置本体に対して着脱自在に構成しておくことができる。ただし、かかる構成では、感光体ユニットを取替えるために感光体ユニットを着脱した際、取替え前の感光体の分光感度と、取替え後の感光体の分光感度とが異なる場合がある。そこで、補正部は、感光体ユニットが装置本体に装着されると、当該感光体ユニットのメモリーから補正データを読み出して、当該補正データに基づいて制御信号を補正するように構成すると良い。なぜなら、このように構成することで、感光体の取替え前後で感光体の分光感度が異なったとしても、感光体の電位変化量を適切に制御して、良好な画像を形成することが可能となるからである。
【００１１】
ちなみに、感光体ユニットを着脱自在とした場合、この感光体ユニットは消耗品として必要に応じて取替えて廃棄されるため、感光体ユニットの低コスト化が重要となる。そこで、感光体ユニットは、感光体の分光分布に対応付けられた指標値を補正データとしてメモリーに記憶し、補正部は、指標値が示す感光体の分光感度を記憶し、感光体ユニットが装置本体に装着されると、当該感光体ユニットのメモリーから指標値を読み出して、当該指標値に対応する感光体の分光感度に基づいて制御信号を補正するように構成しても良い。このような構成では、メモリーは感光体の分光感度に対応付けられた指標値を記憶していれば足り、感光体の分光感度そのものを記憶しておく必要は無い。そのため、比較的安価なメモリーを用いて感光体ユニットを構成することができ、感光体ユニットの低コスト化を図ることができる。
【００１２】
ところで、感光体の電位変化量は、感光体の分光感度のみならず、発光素子の分光分布にも依存する傾向にある。つまり、発光素子の製造精度には限界があるため、製造する全ての発光素子の分光分布を同じに揃えることは難しい。したがって、発光素子によって、分光分布が波長軸方向にシフトしたり、分光分布の形状そのものが変化したりして、発光素子の分光分布はばらつく。一方で、感光体の分光感度は一定ではなく波長に対して変化するため、発光素子の分光分布が異なると、当該発光素子から照射される光に対する感光体の感度も異なって、結果として電位変化量も異なってしまうことが考えられる。そのため、発光素子の分光分布がばらつくと、感光体の電位変化量がまちまちとなってしまうおそれが想定される。すなわち、発光素子の分光分布のばらつきおよび感光体の分光感度に起因して、感光体の電位変化量が安定せず、その結果、良好な画像形成ができなくなるおそれが想定される。そこで、発光素子の分光分布に対する感光体の分光感度に基づいて制御信号を補正するように構成しても良い。これにより、発光素子の分光分布のばらつきおよび感光体の分光感度に対して、感光体の電位変化量を安定させることができ、良好な画像の形成が可能となる。
【００１３】
この際、補正部は、分光分布の重心波長での感光体の分光感度に基づいて制御信号を補正するように構成しても良い。つまり、分光分布の重心波長は分光分布のばらつきに応じて変化する傾向にあるため、この分光分布の重心波長での感光体の分光感度に基づいて発光素子に印加する制御信号を補正することで、発光素子の分光分布のばらつきおよび感光体の分光感度に対して、感光体の電位変化量を安定させることができる。
【００１４】
あるいは、補正部は、発光素子の分光分布のピーク波長での感光体の分光感度に基づいて制御信号を補正するように構成しても良い。つまり、分光分布のピーク波長も分光分布のばらつきに応じて変化する傾向にあるため、この分光分布のピーク波長での感光体の分光感度に基づいて発光素子に印加する制御信号を補正することで、発光素子の分光分布のばらつきおよび感光体の分光感度に対して、感光体の電位変化量を安定させることができる。
【図面の簡単な説明】
【００１５】
【図１】本発明にかかる画像形成装置の一実施形態を示す図。
【図２】図１の画像形成装置の電気的構成を示すブロック図。
【図３】ラインヘッドの構造を示す斜視図。
【図４】ラインヘッドの構造を示す部分断面図。
【図５】Ｙラインヘッド制御回路の構成を示すブロック図。
【図６】感光体の分光感度の一例をグラフとして示した図。
【図７】分光感度比データ記憶部と補正回路とが行う発光制御の説明図。
【図８】分光分布測定の一例を表として示した図。
【図９】分光分布の重心波長の測定結果の一例をグラフで示した図。
【図１０】感光体ドラムの分光感度の個体差を示す図。
【図１１】分光感度パターンの一例を示す図。
【図１２】分光感度比データ記憶部と補正回路とが行う発光制御の変形例の説明図。
【図１３】ヘッドパネルモジュールの構成を示すブロック図。
【図１４】発光素子の点灯時間制御の一例を示すタイミングチャート。
【図１５】第３実施形態での発光素子の発光制御を表すグラフを示した図。
【発明を実施するための形態】
【００１６】
第１実施形態
図１は本発明にかかる画像形成装置の一実施形態を示す図である。図２は図１の画像形成装置の電気的構成を示すブロック図である。この装置は、イエロー（Ｙ）、マゼンタ（Ｍ）、シアン（Ｃ）およびブラック（Ｋ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。この画像形成装置では、ホストコンピュータなどの外部装置から画像形成指令がＣＰＵやメモリーなどを有するメインコントローラーＭＣに与えられると、このメインコントローラーＭＣがエンジンコントローラーＥＣに制御信号を与え、これに基づき、エンジンコントローラーＥＣがエンジン部ＥＧおよびヘッドコントローラーＨＣなど装置各部を制御して所定の画像形成動作を実行し、複写紙、転写紙、用紙およびＯＨＰ用透明シートなどの記録材たるシートに画像形成指令に対応する画像を形成する。
【００１７】
この実施形態にかかる画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット２、転写ベルトユニット８および給紙ユニット７もハウジング本体３内に配設されている。また、図１においてハウジング本体３内右側には、二次転写ユニット１２、定着ユニット１３およびシート案内部材１５が配設されている。なお、給紙ユニット７は、ハウジング本体３に対して着脱自在に構成されている。そして、該給紙ユニット７および転写ベルトユニット８については、それぞれ取り外して修理または交換を行うことが可能な構成になっている。
【００１８】
画像形成ユニット２は、複数の異なる色の画像を形成する４個の画像形成ステーション２Ｙ（イエロー用）、２Ｍ（マゼンタ用）、２Ｃ（シアン用）および２Ｋ（ブラック用）を備えている。なお、図１においては、画像形成ユニット２の各画像形成ステーションは構成が互いに同一のため、図示の便宜上一部の画像形成ステーションのみに符号を付し、他の画像形成ステーションについては符号を省略する。
【００１９】
各画像形成ステーション２Ｙ、２Ｍ、２Ｃおよび２Ｋには、それぞれの色のトナー像がその表面に形成される感光体ドラム２１が設けられている。各感光体ドラム２１は、その回転軸が主走査方向ＭＤ（図１の紙面に対して垂直な方向）に平行もしくは略平行となるように配置されている。また、各感光体ドラム２１はそれぞれ専用の駆動モーターに接続され図中矢印Ｄ21の方向に所定速度で回転駆動される。これにより、感光体ドラム２１表面が、主走査方向ＭＤに直交もしくは略直交する副走査方向ＳＤに搬送される。また、感光体ドラム２１の周囲には、その回転方向に沿って帯電部２３、ラインヘッド２９、現像部２５および感光体クリーナ２７が配設されている。そして、これらの機能部によって帯電動作、潜像形成動作およびトナー現像動作が実行される。カラーモード実行時は、全ての画像形成ステーション２Ｙ、２Ｍ、２Ｃおよび２Ｋで形成されたトナー像を転写ベルトユニット８に設けた転写ベルト８１に重ね合わせてカラー画像を形成する。また、モノクロモード実行時は、画像形成ステーション２Ｋのみを動作させてブラック単色画像を形成する。
【００２０】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を所定の表面電位に帯電させる。
【００２１】
ラインヘッド２９は、その長手方向ＬＧＤが主走査方向ＭＤに平行もしくは略平行となるように、かつ、その幅方向ＬＴＤが副走査方向ＳＤに平行もしくは略平行となるように配置されている。ラインヘッド２９は、長手方向ＬＧＤに配列された複数の発光素子を備えており、感光体ドラム２１に対向配置されている。そして、これらの発光素子から、帯電部２３により帯電された感光体ドラム２１の表面に向けて光を照射して該表面に静電潜像を形成する。
【００２２】
図３はラインヘッドの構造を示す斜視図である。同図では、ヘッド基板２９４の裏面側の構成が記載されており、表面側の構成は省略されている。なお、ヘッド基板２９４が有する２面のうち、同図上側の面を表面とし、同図下側の面を裏面とする。また、図４は、ラインヘッドの構造を示す部分断面図である。これらの図では、主走査方向ＭＤおよび副走査方向ＳＤに直交する方向であって発光素子Ｅの光の射出方向（換言すれば、ラインヘッド２９から感光体ドラム２１に向かう方向）に、光軸方向Ｄoaが付されている。
【００２３】
ラインヘッド２９は、その本体２９１の内部にガラス基板であるヘッド基板２９４を備えており、このガラス基板２９４の裏面２９４−tには、複数の発光素子Ｅが主走査方向ＭＤ（長手方向ＬＧＤ）に２行千鳥で並んでいる。各発光素子Ｅはいわゆるボトムエミッション型の有機ＥＬ（Electro-Luminescence）素子である。そして、各発光素子Ｅは、駆動電流の印加を受けて、光を射出する。
【００２４】
また、ヘッド基板２９４の裏面２９４−tには、光センサーＳＣが設けられている（図４）。この光センサーＳＣは、温度変化や劣化による発光素子Ｅの光量変化を検出するために設けられており、この光センサーＳＣの検出結果に基づいて発光素子Ｅに印加する駆動電流の電流値が補正される。
【００２５】
さらに、ヘッド基板裏面２９４−tに設けられた発光素子Ｅに対して、屈折率分布型ロッドレンズアレイＲＬＡ（以下、レンズアレイＲＬＡと略称する）がヘッド基板表面２９４−h側から対向する。したがって、発光素子Ｅの発光面から射出した光はヘッド基板２９４を透過して、レンズアレイＲＬＡに入射する。こうして発光素子Ｅから射出した光が、レンズアレイＲＬＡにより正立等倍で結像されて、感光体ドラム２１表面にスポットＳＰが照射される。そして、感光体ドラム２１表面のうちスポットＳＰの照射範囲が感光して、静電潜像が感光体ドラム２１の表面に形成される。
【００２６】
図１に戻って装置構成の説明を続ける。現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してその表面に形成された静電潜像が顕像化される。
【００２７】
現像位置において顕在化されたトナー像は、感光体ドラム２１の回転方向Ｄ21に搬送された後、転写ベルト８１と各感光体ドラム２１が当接する一次転写位置ＴＲ1において転写ベルト８１に一次転写される。
【００２８】
また、感光体ドラム２１の回転方向Ｄ21の一次転写位置ＴＲ1の下流側で且つ帯電部２３の上流側に、感光体ドラム２１の表面に当接して感光体クリーナ２７が設けられている。この感光体クリーナ２７は、感光体ドラムの表面に当接することで一次転写後に感光体ドラム２１の表面に残留するトナーをクリーニング除去する。
【００２９】
転写ベルトユニット８は、駆動ローラー８２と、図１において駆動ローラー８２の左側に配設される従動ローラー８３（ブレード対向ローラー）と、これらのローラーに張架され駆動ローラー８２の回転により図示矢印Ｄ81の方向（搬送方向）へ循環駆動される転写ベルト８１とを備えている。また、転写ベルトユニット８は、転写ベルト８１の内側に、カートリッジ装着時において各画像形成ステーション２Ｙ、２Ｍ、２Ｃおよび２Ｋが有する感光体ドラム２１各々に対して一対一で対向配置される、４個の一次転写ローラー８５Ｙ、８５Ｍ、８５Ｃおよび８５Ｋを備えている。これらの一次転写ローラーは、それぞれ一次転写バイアス発生部（図示省略）と電気的に接続される。
【００３０】
カラーモード実行時は、図１および図２に示すように全ての一次転写ローラー８５Ｙ、８５Ｍ、８５Ｃおよび８５Ｋを画像形成ステーション２Ｙ、２Ｍ、２Ｃおよび２Ｋ側に位置決めすることで、転写ベルト８１を画像形成ステーション２Ｙ、２Ｍ、２Ｃおよび２Ｋそれぞれが有する感光体ドラム２１に押し遣り当接させて、各感光体ドラム２１と転写ベルト８１との間に一次転写位置ＴＲ1を形成する。そして、適当なタイミングで一次転写バイアス発生部から一次転写ローラー８５Ｙ等に一次転写バイアスを印加することで、各感光体ドラム２１の表面上に形成されたトナー像を、それぞれに対応する一次転写位置ＴＲ1において転写ベルト８１表面に転写する。すなわち、カラーモードにおいては、各色の単色トナー像が転写ベルト８１上において互いに重ね合わされてカラー画像が形成される。
【００３１】
さらに、転写ベルトユニット８は、ブラック用一次転写ローラー８５Ｋの下流側で且つ駆動ローラー８２の上流側に配設された下流ガイドローラー８６を備える。この下流ガイドローラー８６は、一次転写ローラー８５Ｋが画像形成ステーション２Ｋの感光体ドラム２１に当接して形成する一次転写位置ＴＲ1での一次転写ローラー８５Ｋとブラック用感光体ドラム２１（Ｋ）との共通接線上において、転写ベルト８１に当接するように構成されている。
【００３２】
給紙ユニット７は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０によって給紙タイミングが調整された後、シート案内部材１５に沿って、駆動ローラー８２と二次転写ローラー１２１とが当接する二次転写位置ＴＲ2に給紙される。
【００３３】
二次転写ローラー１２１は、転写ベルト８１に対して離当接自在に設けられ、二次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が二次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００３４】
前記した駆動ローラー８２は、転写ベルト８１を図示矢印Ｄ81の方向に循環駆動するとともに、二次転写ローラー１２１のバックアップローラーとしての機能も兼ねている。駆動ローラー８２の周面には、厚さ３ｍｍ程度、体積抵抗率が１０００ｋΩ・ｃｍ以下のゴム層が形成されており、金属製の軸を介して接地することにより、図示を省略する二次転写バイアス発生部から二次転写ローラー１２１を介して供給される二次転写バイアスの導電経路としている。このように駆動ローラー８２に高摩擦かつ衝撃吸収性を有するゴム層を設けることにより、二次転写位置ＴＲ2へシートが進入する際の衝撃が転写ベルト８１に伝達されることに起因する画質の劣化を防止することができる。
【００３５】
また、この装置では、ブレード対向ローラー８３に対向してクリーナ部７１が配設されている。クリーナ部７１は、クリーナブレード７１１と廃トナーボックス７１３とを有する。クリーナブレード７１１は、その先端部を転写ベルト８１を介してブレード対向ローラー８３に当接することで、二次転写後に転写ベルト８１に残留するトナーや紙粉等の異物を除去する。そして、このように除去された異物は、廃トナーボックス７１３に回収される。また、クリーナブレード７１１及び廃トナーボックス７１３は、ブレード対向ローラー８３と一体的に構成されている。
【００３６】
なお、この実施形態においては、各色の画像形成ステーション２Ｙ、２Ｍ、２Ｃおよび２Ｋのそれぞれにおいて、感光体ドラム２１、帯電部２３、現像部２５および感光体クリーナ２７が一体的にカートリッジＣＲ（図２)としてユニット化されている。そして、各色Ｙ，Ｍ，Ｃ，ＫのカートリッジＣＲが装置本体に対し着脱可能に構成されている。また、カートリッジＣＲには、該カートリッジＣＲに関する情報を記憶するための不揮発性メモリーＭＭがそれぞれ設けられている。そして、エンジンコントローラーＥＣと各カートリッジＣＲとの間で無線通信が行われる。こうすることで、各カートリッジＣＲに関する情報がエンジンコントローラーＥＣに伝達されるとともに、各メモリー内の情報が更新記憶される。これらの情報に基づき各カートリッジＣＲの使用履歴や消耗品の寿命が管理される。
【００３７】
特に、この実施形態では、カートリッジＣＲのメモリーＭＭの内部には、感光体ドラム２１の分光感度に対応付けられた分光感度指標値Ｉｘ−Ｙ，Ｉｘ−Ｍ，Ｉｘ−Ｃ，Ｉｘ−Ｋが記憶されている。そして、エンジンコントローラーＥＣはメモリーＭＭから読み出した各色の分光感度指標値Ｉｘ−Ｙ，Ｉｘ−Ｍ，Ｉｘ−Ｃ，Ｉｘ−Ｋを、メインコントローラーＭＣを介してヘッドコントローラーＨＣに送信する。なお、この分光感度指標値Ｉｘ−Ｙ等は発光素子Ｅの発光制御に用いられる値であるが、この発光制御の詳細については後述することとする。
【００３８】
以上が、画像形成装置の概略構成である。続いて、本実施形態の画像形成装置で実行される、発光素子Ｅの発光制御について説明する。この発光制御は、ヘッドコントローラーＨＣ内部に設けられたラインヘッド制御回路ＣＣにより実行される（図２）。そこで、以下では、このラインヘッド制御回路ＣＣの構成および動作について説明する。なお、ラインヘッド制御回路ＣＣは各色Ｙ，Ｍ，Ｃ，Ｋ毎に設けられているが、同回路ＣＣの構成および動作は各色Ｙ，Ｍ，Ｃ，Ｋで共通しているので、ここではイエロー（Ｙ）用のＹラインヘッド制御回路ＣＣを例にとって説明する。
【００３９】
図５は、Ｙラインヘッド制御回路の構成を示すブロック図である。Ｙラインヘッド制御回路ＣＣは、補正回路ＣＣ1、光量補正データ記憶部ＣＣ2、感度データ選択回路ＣＣ3、重心波長データ記憶部ＣＣ4および感光体相対感度データ記憶部ＣＣ5から構成されており、メインコントローラーＭＣから送られてきたイエロー（Ｙ）用のビデオデータＶＤ−Ｙや分光感度指標値Ｉｘ−Ｙ等に基づいて、発光素子Ｅの発光期間を示すデータＴＤ−Ｙ（データ信号）と、発光素子Ｅに供給する駆動電流の電流値ＩＤ−Ｙ（電流値信号）とを生成する。
【００４０】
光量補正データ記憶部ＣＣ2は、光センサーＳＣの検出結果に基づいて、温度変化や劣化に伴なう発光素子Ｅの光量を補正するために設けられたものであり、この光量補正データ記憶部ＣＣ2と補正回路ＣＣ1とが協働して光量補正を実行する。つまり、上述のように、本実施形態では、各発光素子Ｅからの光を感光体ドラム２１表面に照射し、この光の照射部分の電位を変化させることで、感光体ドラム２１表面に静電潜像を形成する。この際、感光体ドラム２１表面の電位変化量は発光素子Ｅの光量に依存する。したがって、発光素子Ｅの光量が温度や劣化に伴なって変化すると、この電位変化量が所望の変化量からずれてしまい、適切な画像が形成できない場合があった。そこで、かかる問題に対応すべく、以下の光量補正が実行される。
【００４１】
まず、光量補正を行うために必要なパラメーターがラインヘッド２９の工場出荷時に予め測定される。つまり、工場出荷の際に、ラインヘッド２９は、光量検出器を用いて各発光素子Ｅの射出光量を検出する光量測定用ジグに取り付けられる。そして、この光量測定用ジグは、主走査方向ＭＤに並ぶ発光素子Ｅを順番に発光させて、各発光素子Ｅ(1)、Ｅ(2)、…、Ｅ(n)、…の光量Ｐｇ(1)、Ｐｇ(2)、…、Ｐｇ(n)、…を光量検出器で検出して記憶する。さらに、光量検出器の検出結果の記憶動作と並行して、光量測定用ジグは、各発光素子Ｅを順次点灯させている間、ラインヘッド２９の光センサーＳＣの検出光量Ｐｈ(1)、Ｐｈ(2)、…、Ｐｈ(n)、…を記憶する。こうして求められたパラメーターＰｇ(n)、Ｐｈ(n)から光量補正係数Ｐｇ(n)／Ｐｈ(n)が各発光素子Ｅ毎に算出される。そして、この光量補正係数Ｐｇ(n)／Ｐｈ(n)が光量補正データ記憶部ＣＣ2に記憶された状態で、ラインヘッド２９が出荷される。
【００４２】
ここで、発光素子Ｅに付された括弧内の数値は発光素子Ｅの識別番号であり、主走査方向ＭＤから順番に各発光素子Ｅに付されている。また、光量Ｐｇ(n)は光量測定用ジグの光量検出器が検出した発光素子Ｅ(n)の光量を示し、光量Ｐｈ(n)はラインヘッド２９の光センサーＳＣが検出した発光素子Ｅ(n)の光量を示している。また、以後の説明で用いる、括弧内に識別番号が付されたパラメーター（パラメーターＰｊ(n)等）についても同様である。
【００４３】
そして、ラインヘッド２９の出荷後において、画像形成装置の電源投入時や画像形成の合間等のタイミングで、光量補正が実行される。つまり、この光量補正では、補正回路ＣＣ1が各発光素子Ｅを順番に発光させるとともに、各発光素子Ｅ(1)、Ｅ(2)、…、Ｅ(n)、…の光量Ｐｊ(1)、Ｐｊ(2)、…、Ｐｊ(n)、…を光センサーＳＣで検出して記憶する。そして、補正回路ＣＣ1は、この光センサーＳＣの検出光量Ｐｊ(n)に光量補正係数Ｐｇ(n)／Ｐｈ(n)を乗じた値Ｐｊ(n)×Ｐｇ(n)／Ｐｈ(n)を、発光素子Ｅ(n)の実際の光量として推定する。
【００４４】
このようにして発光素子Ｅ(n)の実際の光量Ｐｊ(n)×Ｐｇ(n)／Ｐｈ(n)が推定できるため、この推定光量と目標光量とを比較することで、発光素子Ｅ(n)の光量の補正量が求まる。そして、この補正量だけ発光素子Ｅ(n)の光量を補正するように、発光素子Ｅ(n)に供給する駆動電流値が求められる（光量補正）。
【００４５】
ところで、発光素子Ｅからの光照射による感光体ドラム２１表面の電位変化量は、発光素子Ｅの光量のみならず、感光体ドラム２１の分光感度にも依存する。ただし、特許第４１１５２５３号公報にも示されているように、一般に感光体の分光感度は光の波長に対して変化する（図６）。
【００４６】
図６は、感光体の分光感度の一例をグラフとして示した図であり、横軸に光の波長[nm]を取り縦軸に感度[m×m／mJ]を取っている。同図では、ａ−Ｓｉ(amorphous silicon)、ＯＰＣ(Organic Photo Conductor)およびＳｅ−Ｔｅ（セレン−テルル）のそれぞれを材料として用いた、感光体の分光感度が示されている。いずれの感光体の分光感度も光の波長に対して変化しているのが判るが、ここでは、ＯＰＣ感光体を例に取って説明すると、波長700[nm]付近では、波長が長いほどＯＰＣ感光体の分光感度が良く、より少ないエネルギーで電位が変化する（換言すれば、潜像が形成される）。したがって、例えば、分光分布が異なる２つの発光素子Ｅを比較した場合、各発光素子Ｅの光量（分光分布を波長で積分した値に相当）は同じであっても、長い波長成分をより多く含む分光分布を有する発光素子Ｅの方が、感光体の電位をより大きく変化させる。このような事情から、上述した発光素子Ｅの光量補正を行ったとしても、ラインヘッド２９の各発光素子Ｅの分光分布がばらつくと、感光体の電位変化量がまちまちとなってしまい、良好な画像形成ができなくなるおそれがあった。
【００４７】
そこで、本実施形態のラインヘッド制御回路ＣＣは、感度データ選択回路ＣＣ3、重心波長データ記憶部ＣＣ4および感光体相対感度データ記憶部ＣＣ5を備え、これらの機能ブロックＣＣ3、ＣＣ4、ＣＣ5と補正回路ＣＣ1とが協働して発光素子Ｅの発光制御を行なうことで、かかる問題に対応している。
【００４８】
図７は、感度データ選択回路等と補正回路とが行う発光制御の説明図である。同図で示されるグラフは、横軸に光の波長[nm]を取り縦軸に強度を取って、発光素子Ｅ(n)および発光素子Ｅ(m)それぞれの分光分布と、感光体ドラム２１の分光感度が示されている。なお、図７の感光体ドラム２１の分光感度は、図６で例示した感光体の分光感度とは異なるものであり、本実施形態で用いた感光体ドラム２１の分光感度である。また、同グラフでは、光センサーＳＣの分光感度も併記されている。この光センサーＳＣの分光感度は比較的一定していることが判る。
【００４９】
同図に示すように、感光体ドラム２１の分光感度は一定ではなく、700[nm]手前ぐらいから分光感度が低下しているのが判る。したがって、長い波長をより多く含む分光分布を有する発光素子Ｅほど、変化させる電位変化量が小さくなる。これに対して、同図の例では、発光素子Ｅ(n)と発光素子Ｅ(m)とはそれぞれ異なる分光分布を有している。つまり、発光素子Ｅ(n)、Ｅ(m)それぞれの分光分布はピークＰＫにおいては略一致しているが、発光素子Ｅ(n)の分光分布は、発光素子Ｅ(m)の分光分布に比べて、長い波長をより多く含んでいる。したがって、発光素子Ｅ(n)による電位変化量は、発光素子Ｅ(m)による電位変化量と比較して小さくなる傾向にある。そこで、この実施形態では、このような分光感度のばらつきによる電位変化量の変動を抑制するために、感度データ選択回路ＣＣ3等と補正回路ＣＣ1とが、発光素子Ｅの発光制御を当該発光素子Ｅの分光分布に基づいて行なう。
【００５０】
まず、かかる発光制御を行うために必要なパラメーターがラインヘッド２９の工場出荷時に予め測定される。つまり、工場出荷の際に、ラインヘッド２９は、分光器を用いて各発光素子Ｅの分光分布を測定する分光分布測定用ジグに取り付けられる。そして、この分光分布測定用ジグは、主走査方向ＭＤに並ぶ発光素子Ｅを順番に発光させて、各発光素子Ｅ(1)、Ｅ(2)、…、Ｅ(m)、…、Ｅ(n)、…の分光分布を測定する。
【００５１】
図８は、分光分布測定の一例を表として示した図である。同表に示すように、分光分布を測定する波長範囲は550[nm]〜850[nm]に設定されている。これは、分光強度が十分に落ちきった波長領域（図７）で分光分布を測定するためである。この場合、分光器の測定波長分解能が10[nm]であれば、３１個のデータを取得することとなる。そして、この測定結果から分光分布の重心波長が求められる。具体的には、次の計算式、
【数１】
2011085775.tif 000003
で重心波長が求められる。こうして、各発光素子Ｅ(1)、Ｅ(2)、…、Ｅ(m)、…、Ｅ(n)、…の重心波長Ｇ(1)、Ｇ(2)、…、Ｇ(m)、…、Ｇ(n)、…が求められる。そして、各重心波長Ｇ(1)、Ｇ(2)、…、Ｇ(m)、…、Ｇ(n)、…が重心波長データ記憶部ＣＣ4に記憶された状態で、ラインヘッド２９が工場出荷される。
【００５２】
図９は、分光分布の重心波長の測定結果の一例をグラフで示した図であり、同グラフは、横軸に発光素子番号ｎを取り、縦軸に重心波長[nm]を取っている。同図に示すように、グラフ中の矢印で示した範囲では、重心波長が長い方にシフトしており、当該範囲の発光素子Ｅによる電位変化量は少なくなる。しかも、当該範囲の境界では、分光分布の重心波長が長い発光素子Ｅにより形成された潜像と、分光分布の重心波長が短い発光素子Ｅにより形成された潜像とが境界を挟んで隣接することとなる。したがって、かかる分光分布のばらつきを考慮せず形成した潜像を現像した場合、この境界で濃淡差が顕著に出てしまうこととなる。
【００５３】
そこで、このような問題に対処するために、重心波長データ記憶部ＣＣ4に記憶された重心波長Ｇ(1)、Ｇ(2)、…、Ｇ(m)、…、Ｇ(n)、…と、感光体ドラム２１の分光感度に基づいて、発光素子Ｅの発光が制御される。ただし、感光体ドラム２１の分光感度には、一定の個体差がある（図１０）。図１０は、感光体ドラムの分光感度の個体差を示す図であり、横軸に波長[nm]を取り、縦軸に分光感度[Ｖ・ｃｍ・ｃｍ／ｕＪ]を取って、感光体ドラム２１の個体差によって異なる５つの分光感度パターン（５つの曲線）が示されている。このような事情から、カートリッジＣＲの取替えに伴なってハウジング本体３内部の感光体ドラム２１が変わった場合、このカートリッジＣＲの取替え前後で感光体ドラム２１の分光感度が変わってしまう場合がある。
【００５４】
そこで、この実施形態では、感光体ドラム２１が個体差の範囲内で取り得る複数の分光感度パターン（この実施形態では５パターン）が、テーブル形式で感光体相対感度データ記憶部ＣＣ5に記憶されている。そして、ハウジング本体３に取り付けられている感光体ドラム２１の分光感度がいずれのパターンのものかを特定して、発光素子Ｅの適切な発光制御が図られる。具体的には、カートリッジＣＲのメモリーＭＭには、当該カートリッジが保持する感光体ドラム２１の分光感度パターンに対応する分光感度指標値Ｉｘ−Ｙが記憶されている。そして、ハウジング本体に装着されたカートリッジＣＲのメモリーＭＭ内の分光感度指標値Ｉｘ−Ｙから、装着された感光体ドラム２１の分光感度パターンを特定している。なお、この分光感度指標値Ｉｘ−Ｙは、カートリッジＣＲの工場出荷時に感光体ドラム２１の分光感度を測定した結果に基づいて、カートリッジＣＲのメモリーに記憶される。
【００５５】
図１１は、感光体相対感度データ記憶部にテーブル形式で記憶されている分光感度パターンの一例を示す図である。つまり、感光体相対感度データ記憶部ＣＣ5には、５つの分光感度指標値Ｉｘ−Ｙ(A)、…、Ｉｘ−Ｙ(Ｅ)に一対一で対応付けて５つの分光感度パターンが、テーブル形式で記憶されている。なお、図１１の例では、基準波長700[nm]の光に対する感度を「１」としたときの各波長での相対感度が、分光感度パターン毎に示されている。
【００５６】
感度データ選択回路ＣＣ3は、メインコントローラーＭＣから受け取った分光感度指標値Ｉｘ−Ｙに対応する分光感度パターンを、感光体相対感度データ記憶部ＣＣ5から選択的に読み出して記憶する。また、感度データ選択回路ＣＣ3は、重心波長データ記憶部ＣＣ4から、各発光素子Ｅ(n)の分光分布の重心波長Ｇ(1)、Ｇ(2)、…、Ｇ(m)、…、Ｇ(n)、…を読み出す。そして、感度データ選択回路ＣＣ3は、感光体相対感度データ記憶部ＣＣ5から読み出した分光感度パターンと重心波長Ｇ(1)、Ｇ(2)、…、Ｇ(m)、…、Ｇ(n)、…とから、各重心波長Ｇ(1)、Ｇ(2)、…、Ｇ(m)、…、Ｇ(n)、…での感光体ドラム２１の分光感度Ｉ(1)、Ｉ(2)、…、Ｉ(m)、…、Ｉ(n)、…を求める。さらに、感度データ選択回路ＣＣ3は、各発光素子Ｅのうちから参照用発光素子Ｅ(ref)を１個選び、この参照用発光素子Ｅ(ref)に対応する分光感度Ｉ(ref)と、各発光素子Ｅ(1)、Ｅ(2)、…、Ｅ(n)、…に対応する分光感度Ｉ(1)、Ｉ(2)、…、Ｉ(n)、…との比Ｉ(1)／Ｉ(ref)、Ｉ(2)／Ｉ(ref)、…、Ｉ(n)／Ｉ(ref)、…を分光感度比データとして求めて、補正回路ＣＣ1に出力する。
【００５７】
そして、補正回路ＣＣ1は、分光感度比データに基づいて、発光素子Ｅの発光制御を実行する。つまり、光センサーＳＣの検出値から推定した光量Ｐｊ(n)×Ｐｇ(n)／Ｐｈ(n)にさらに分光感度比データＩ(n)／Ｉ(ref)を乗じた光量で発光素子Ｅ(n)が発光するように、駆動電流値ＩＤ−Ｙが求められる。そして、ビデオデータＶＤ−Ｙから求めたデータＴＤ−Ｙが示す発光期間だけ、電流値ＩＤ−Ｙの駆動電流を発光素子Ｅ(n)に供給して、発光素子Ｅ(n)を発光させる。かかる発光制御を各発光素子Ｅに対して実行することで、各発光素子Ｅの光照射による電位変化量を安定させることが可能となる。
【００５８】
以上のように、第１実施形態では、感光体ドラム２１を保持するカートリッジＣＲ（感光体ユニット）にメモリーＭＭが配設されており、しかも、このメモリーＭＭには、感光体ドラム２１の分光感度に基づいて駆動電流値ＩＤ−Ｙ（制御信号）を補正するための分光感度指標値Ｉｘ−Ｙ（補正データ）が記憶されている。そして、この分光感度指標値Ｉｘ−Ｙに対応する分光感度に基づいて補正された駆動電流値ＩＤ−Ｙに応じて発光素子Ｅが発光した光が、感光体ドラム２１に照射される。その結果、感光体ドラム２１の分光感度が個体差によって異なったとしても、感光体ドラム２１の電位変化量を適切に制御して、良好な画像を形成することが可能となっている。
【００５９】
また、第１実施形態では、感光体ドラム２１が劣化したような場合に感光体ドラム２１を取替えできるように、カートリッジＣＲを装置本体に対して着脱自在に構成されている。ただし、かかる構成では、カートリッジＣＲを取替えるためにカートリッジＣＲを着脱した際、取替え前の感光体ドラム２１の分光感度と、取替え後の感光体ドラム２１の分光感度とが異なる場合がある。これに対して、この実施形態のラインヘッド制御回路ＣＣは、カートリッジＣＲがハウジング本体３に装着されると、当該カートリッジＣＲのメモリーＭＭから分光感度指標値Ｉｘ−Ｙを読み出して、当該分光感度指標値Ｉｘ−Ｙに基づいて駆動電流値ＩＤ−Ｙ（制御信号）を補正している。したがって、感光体ドラム２１の取替え前後で感光体ドラム２１の分光感度が異なったとしても、感光体ドラム２１の電位変化量を適切に制御して、良好な画像を形成することが可能となっている。
【００６０】
ちなみに、カートリッジＣＲを着脱自在とした場合、このカートリッジＣＲは消耗品として必要に応じて取替えて廃棄されるため、カートリッジＣＲの低コスト化が重要となる。そこで、第１実施形態のカートリッジＣＲのメモリーＭＭには、感光体ドラム２１の分光感度そのものが記憶されるのではなく、感光体ドラム２１の分光分布に対応付けられた分光感度指標値Ｉｘ−Ｙが記憶される。そして、感光体ドラム２１の分光感度は、ラインヘッド制御回路ＣＣが分光感度指標値Ｉｘ−Ｙに対応付けて記憶することとしている。そして、カートリッジＣＲがハウジング本体３に装着されると、当該カートリッジＣＲのメモリーＭＭから分光感度指標値Ｉｘ−Ｙを読み出して、当該分光感度指標値Ｉｘ−Ｙに対応する感光体ドラム２１の分光感度に基づいて駆動信号ＩＤ−Ｙ（制御信号）を補正している。したがって、カートリッジＣＲのメモリーＭＭは感光体ドラム２１の分光感度に対応付けられた分光感度指標値Ｉｘ−Ｙを記憶していれば足り、感光体ドラム２１の分光感度そのものを記憶しておく必要は無い。そのため、比較的容量の小さい安価なメモリーＭＭを用いてカートリッジＣＲを構成することができ、カートリッジＣＲの低コスト化を図ることができる。
【００６１】
ところで、光照射に伴なう感光体ドラム２１の電位変化量は、感光体ドラム２１の分光感度のみならず、発光素子Ｅの分光分布にも依存する傾向にある。つまり、発光素子Ｅの製造精度には限界があるため、製造する全ての発光素子Ｅの分光分布を同じに揃えることは難しい。したがって、発光素子Ｅによって、分光分布が波長軸方向にシフトしたり、分光分布の形状そのものが変化したりして、発光素子Ｅの分光分布はばらつく。一方で、感光体ドラム２１の分光感度は一定ではなく波長に対して変化するため、発光素子Ｅの分光分布が異なると、当該発光素子Ｅから照射される光に対する感光体ドラム２１の感度も異なって、結果として電位変化量も異なってしまうことが考えられる。そのため、発光素子Ｅの分光分布がばらつくと、感光体ドラム２１の電位変化量がまちまちとなってしまうおそれが想定される。すなわち、発光素子Ｅの分光分布のばらつきおよび感光体ドラム２１の分光感度に起因して、感光体ドラム２１の電位変化量が安定せず、その結果、良好な画像形成ができなくなるおそれが想定される。
【００６２】
これに対して、第１実施形態のラインヘッド制御回路ＣＣは、発光素子Ｅの分光分布に対する感光体ドラム２１の分光感度に基づいて駆動電流値ＩＤ−Ｙ（制御信号）を補正している。これにより、発光素子Ｅの分光分布のばらつきおよび感光体ドラム２１の分光感度に対して、感光体ドラム２１の電位変化量を安定させることができ、良好な画像の形成が可能となる。
【００６３】
特に、第１実施形態のように、発光素子Ｅとして有機ＥＬ素子を用いた構成に対しては、発光素子Ｅの分光分布に対する感光体ドラム２１の分光感度に基づいて駆動電流値ＩＤ−Ｙ（制御信号）を補正することが特に好適である。つまり、有機ＥＬ素子は、ＬＥＤ（Light Emitting Diode）等のその他の素子と比較して分光分布のばらつきが大きいため、上記問題が発生しやすい。そこで、発光素子Ｅに有機ＥＬ素子を用いた構成に対しては、本発明を適用して良好な画像形成の実現を図ることが好適となる。
【００６４】
また、第１実施形態は、発光素子Ｅの分光分布の重心波長での感光体ドラム２１の分光感度に基づいて駆動電流値ＩＤ−Ｙ（制御信号）を補正しており、好適である。つまり、分光分布の重心波長は分光分布のばらつきに応じて変化する傾向にあるため、この分光分布の重心波長での感光体ドラム２１の分光感度に基づいて発光素子Ｅに印加する駆動電流値ＩＤ−Ｙ（制御信号）を補正することで、発光素子Ｅの分光分布のばらつきおよび感光体ドラム２１の分光感度に対して、感光体ドラム２１の電位変化量を安定させることができる。
【００６５】
第２実施形態
図１２は、感度データ選択回路と補正回路とが行う発光制御の変形例の説明図である。第１実施形態と第２実施形態との違いは、分光分布の重心波長ではなくピーク波長での感光体ドラム２１の分光感度に基づいて、発光素子Ｅの発光制御を行なっている点である。なお、その他の構成は、第１実施形態と第２実施形態とで共通するため、適宜省略して説明する。
【００６６】
第２実施形態では、各分光分布のピーク波長Ｐｋ(1)、Ｐｋ(2)、…、Ｐｋ(m)、…、Ｐｋ(n)、…での感光体ドラム２１の分光感度Ｉ(1)、Ｉ(2)、…、Ｉ(m)、…、Ｉ(n)、…が求められる。そして、各発光素子Ｅのうちから参照用発光素子Ｅ(ref)を１個選び、この参照用発光素子Ｅ(ref)に対応する分光感度Ｉ(ref)と、各発光素子Ｅ(1)、Ｅ(2)、…、Ｅ(n)、…に対応する分光感度Ｉ(1)、Ｉ(2)、…、Ｉ(n)、…との比Ｉ(1)／Ｉ(ref)、Ｉ(2)／Ｉ(ref)、…、Ｉ(n)／Ｉ(ref)、…が分光感度比データとして求められる。また、こうして求められた分光感度比データＩ(1)／Ｉ(ref)、Ｉ(2)／Ｉ(ref)、…、Ｉ(n)／Ｉ(ref)、…に基づいて、第１実施形態と同様の発光制御が実行されることで、各発光素子Ｅの光照射による電位変化量を安定させることが可能となる。
【００６７】
つまり、第２実施形態においても、感光体ドラム２１を保持するカートリッジＣＲ（感光体ユニット）にメモリーＭＭが配設されており、しかも、このメモリーＭＭには、感光体ドラム２１の分光感度に基づいて駆動電流値ＩＤ−Ｙ（制御信号）を補正するための分光感度指標値Ｉｘ−Ｙ（補正データ）が記憶されている。そして、この分光感度指標値Ｉｘ−Ｙに対応する分光感度に基づいて補正された駆動電流値ＩＤ−Ｙに応じて発光素子Ｅが発光した光が、感光体ドラム２１に照射される。その結果、感光体ドラム２１の分光感度が個体差によって異なったとしても、感光体ドラム２１の電位変化量を適切に制御して、良好な画像を形成することが可能となっている。
【００６８】
また、第２実施形態においても、ラインヘッド制御回路ＣＣは、発光素子Ｅの分光分布に対する感光体ドラム２１の分光感度に基づいて駆動電流値ＩＤ−Ｙ（制御信号）を補正している。これにより、発光素子Ｅの分光分布のばらつきおよび感光体ドラム２１の分光感度に対して、感光体ドラム２１の電位変化量を安定させることができ、良好な画像の形成が可能となる。
【００６９】
また、第２実施形態は、発光素子Ｅの分光分布のピーク波長での感光体ドラム２１の分光感度に基づいて駆動電流値ＩＤ−Ｙ（制御信号）を補正しており、好適である。つまり、分光分布のピーク波長は分光分布のばらつきに応じて変化する傾向にあるため、この分光分布のピーク波長での感光体ドラム２１の分光感度に基づいて発光素子Ｅに印加する駆動電流値ＩＤ−Ｙ（制御信号）を補正することで、発光素子Ｅの分光分布のばらつきおよび感光体ドラム２１の分光感度に対して、感光体ドラム２１の電位変化量を安定させることができる。
【００７０】
第３実施形態
ところで、上記第１・第２実施形態では、光センサーＳＣの検出値から推定した光量Ｐｊ(n)×Ｐｇ(n)／Ｐｈ(n)にさらに分光感度比データＩ(n)／Ｉ(ref)を乗じた光量で発光素子Ｅ(n)が発光するように、駆動電流値ＩＤ−Ｙが求められる。つまり、上記実施形態では、駆動電流値ＩＤ−Ｙを補正することで、発光素子Ｅの発光を制御していた。しかしながら、発光素子Ｅの発光期間を示すデータＴＤ−Ｙを調整して発光Dutyを補正することで、発光素子Ｅの発光を制御しても良い。そこで、以下では、この発光Dutyの補正について詳述する。
【００７１】
図１３は、ラインヘッドに設けられたヘッドパネルモジュールの構成を示すブロック図であり、このヘッドパネルモジュールＨＰＭがデータＴＤ−Ｙに基づいて発光素子を発光させる。なお、ヘッドパネルモジュールＨＰＭは、各色Ｙ，Ｍ，Ｃ，Ｋのラインヘッド２９それぞれに設けられているが、ヘッドパネルモジュールＨＰＭの構成は各色で共通するので、ここではイエロー（Ｙ）のＹラインヘッド２９に設けられたヘッドパネルモジュールＨＰＭを例示して説明する。また、発光素子Ｅの発光制御に関するその他の動作も各色で共通するため、以下では、イエロー（Ｙ）で例示して各動作を説明する。
【００７２】
ヘッドパネルモジュールＨＰＭには、適切な発光タイミングで発光素子Ｅに駆動電流を供給するためのドライバーＤＶが設けられている。このドライバーＤＶには、データＴＤ−Ｙを格納するためのシフトレジスタと、データＴＤ−Ｙをラッチするためのラッチ回路と、ラッチされたデータＴＤ−Ｙに応じて発光素子Ｅの点灯時間を制御する点灯制御回路が内蔵されている。
【００７３】
各ドライバーＤＶには、シフトレジスタの起動のきっかけを与えるStartパルスが入力される。なお、このStartパルスは、メインコントローラーＭＣからの同期信号Ｓｙｎｃに基づいてＹラインヘッド制御回路ＣＣが生成してドライバーＤＶに供給する。そして、Startパルスを受けて起動したシフトレジスタが、Data Clockに同期してデータＴＤ−Ｙをシフトさせることで、１ライン分のデータＴＤ−Ｙが複数のドライバーＤＶのシフトレジスタに渡って格納される。その後、Latch信号によりラッチされたデータＴＤ−Ｙが示す点灯時間の間、PWM Clockに同期して電流値ＩＤ−Ｙの駆動電流が発光素子Ｅに供給される。こうして、各発光素子Ｅの点灯時間が制御される（図１４）。ここで、図１４は、発光素子の点灯時間制御の一例を示すタイミングチャートであり、１つのドライバーＤＶの４８出力分のデータのラッチタイミングと、４８出力それぞれに接続されたある１つの発光素子Ｅの発光タイミングを示している。同図の例では、ある発光素子ＥがデータＴＤ(1)の対応するデータに応じてが時間Ｔe(1)の間点灯し、その後、データＴＤ(1)に続くデータＴＤ(2)の対応するデータに応じてが時間Ｔe(2)の間点灯するといった点灯動作を、実行する場合が示されている。この際、各発光DutyはＴe(1)／Ｔｈ、Ｔe(2)／Ｔｈ、…で与えられ、この発光Dutyを増減させることで、発光素子Ｅにより感光体ドラム２１表面に与えるエネルギー量を調整することができる。ここで、期間Ｔｈは、１ラインの潜像を形成するのに要する期間（１ライン走査期間）である。
【００７４】
そこで、この実施形態は、駆動電流値ＩＤ−Ｙを補正する代わりに、発光素子Ｅの発光期間を示すデータＴＤ−Ｙを補正し、これにより発光素子Ｅの発光Dutyを調整する。かかる発光制御を各発光素子Ｅに対して実行することで、各発光素子Ｅの光照射による電位変化量を安定させることが可能となる。より具体的には、次のとおりである。
【００７５】
図１５は、第３実施形態での発光素子の発光制御を表すグラフを示した図である。同図では、光量補正後発光Duty、分光分布の重心波長、重心波長での感光体ドラムの分光感度および波長補正後発光Dutyが各発光素子番号ｎ毎にテーブル形式で記載されている。光量補正後Dutyは、光センサーＳＣの検出結果に基づいて、各発光素子Ｅでの光量ばらつきを補正するように求められた発光Dutyである。なお、この光量補正後Dutyには、感光体ドラム２１の分光感度の個体差や発光素子Ｅの分光感度のばらつきは考慮されていない。そこで、第３実施形態では、これらをも考慮して適切に発光素子Ｅの発光を制御するために、波長補正後発光Dutyが求められて、この波長補正後発光Dutyで発光素子Ｅを駆動する。
【００７６】
つまり、感度データ選択回路ＣＣ3は、ハウジング本体３に装着されたカートリッジＣＲのメモリーＭＭから分光感度指標値ＩＤ−Yを読み出すとともに、感光体相対感度データ記憶部ＣＣ5を参照して、カートリッジＣＲの感光体ドラム２１の分光感度パターンを特定する。続いて、感度データ選択回路ＣＣ3は、重心波長データ記憶部ＣＣ4に記憶されている各発光素子Ｅの分光分布の重心波長Ｇ(1)、Ｇ(2)、…、Ｇ(m)、…、Ｇ(n)、…と特定した分光感度パターンとに基づいて、各重心波長Ｇ(1)、Ｇ(2)、…、Ｇ(m)、…、Ｇ(n)、…での感光体ドラム２１の分光感度Ｉ(1)、Ｉ(2)、…、Ｉ(m)、…、Ｉ(n)、…を求める。なお、図１５の表は、分光感度指標値Ｉｘ−Ｙが値Ｉｘ−Ｙ(C)であった場合に相当している。
【００７７】
こうして、発光素子Ｅ(1)、…、Ｅ(n)、…それぞれについて感光体ドラム２１の分光感度Ｉ(1)、…、Ｉ(n)、…が、感度データ選択回路ＣＣ3により求められて、補正回路ＣＣ1に出力される。そして、補正回路ＣＣ1では、この分光感度Ｉ(1)、…、Ｉ(n)、…に基づいて光量補正後発光Dutyが補正されて、波長補正後発光Dutyが求められる。より具体的には、第３実施形態の補正回路ＣＣ1は、光量補正後発光Dutyに分光感度の逆数を乗じて波長補正後発光Dutyを求めている。そして、この波長補正後発光Dutyで各発光素子Ｅが発光するように、データＴＤ−Ｙが補正回路ＣＣ1からヘッドパネルモジュールＨＰＭに出力される。
【００７８】
以上のように、第３実施形態では、感光体ドラム２１を保持するカートリッジＣＲ（感光体ユニット）にメモリーＭＭが配設されており、しかも、このメモリーＭＭには、感光体ドラム２１の分光感度に基づいて発光Dutyを補正するための分光感度指標値Ｉｘ−Ｙ（補正データ）が記憶されている。そして、この分光感度指標値Ｉｘ−Ｙに対応する分光感度に基づいて補正された発光Dutyに応じて発光素子Ｅが発光した光が、感光体ドラム２１に照射される。その結果、感光体ドラム２１の分光感度が個体差によって異なったとしても、感光体ドラム２１の電位変化量を適切に制御して、良好な画像を形成することが可能となっている。
【００７９】
その他
このように、上記実施形態では、ラインヘッド２９あるいはラインヘッド２９とヘッドコントローラーＨＣが協働して本発明の「露光ヘッド」として機能し、感光体ドラム２１が本発明の「感光体」に相当し、ラインヘッド制御回路ＣＣが本発明の「発光制御部」および「補正部」に相当し、現像部２５が本発明の「現像部」に相当し、カートリッジＣＲが本発明の「感光体ユニット」に相当し、メモリーＭＭが本発明の「メモリー」に相当している。また、分光感度指標値Ｉｘ−Ｙ等が本発明の「補正データ」、「指標値」に相当している。また、ハウジング本体３が本発明の「装置本体」に相当している。また、第１・第２実施形態では、駆動電流値ＩＤ−Ｙが本発明の「制御信号」に相当し、第３実施形態では、データＴＤ−Ｙあるいは発光Dutyが本発明の「制御信号」に相当している。
【００８０】
なお、本発明は上記実施形態に限定されるものではなく、その趣旨を逸脱しない限りにおいて上述したものに対して種々の変更を加えることが可能である。例えば、上記第１・第２実施形態の画像形成装置は、光センサーＳＣの検出結果に基づいて発光素子Ｅの光量を補正する構成を備えていたが、かかる構成を備えることは必須ではない。
【００８１】
また、上記実施形態では、カートリッジＣＲのメモリーＭＭには、感光体ドラム２１の分光感度そのものではなく、これに対応する分光感度指標値Ｉｘ−Ｙ等が記憶されていた。しかしながら、カートリッジＣＲが保持する感光体ドラム２１の分光感度そのものを、当該カートリッジＣＲのメモリーに記憶しても良い。この場合、感度データ選択回路ＣＣ3は、カートリッジＣＲのメモリーから感光体ドラム２１の分光感度を直接読み出して、この分光感度に基づいて発光素子Ｅの発光制御に必要なパラメーターを求めれば良い。また、感光体相対感度データ記憶部ＣＣ5は、各色のラインヘッド制御回路ＣＣ毎に記憶するのではなく、ヘッドコントローラーＨＣ内に共通の分光感度パターンとして記憶しておき、各ラインヘッド２９に設けられた感度データ選択回路ＣＣ3のそれぞれが、分光感度指標値に対応する分光感度パターンを選択的に読み出しても良い。
【００８２】
また、上記第３実施形態では、ラインヘッド制御回路ＣＣとヘッドパネルモジュールＨＰＭとを別体で構成した場合について説明したが、これらを一体の回路で実現しても良い。
【００８３】
また、上記実施形態では、発光素子Ｅとしてボトムエミッション型の有機ＥＬ素子が用いられている。しかしながら、トップエミッション型の有機ＥＬ素子を発光素子Ｅとして用いても良い。
【００８４】
また、本発明に用いられるラインヘッド２９としては、上述のような屈折率分布型のロッドレンズアレイＲＬＡを光学系として備えたものに限られない。よって、例えば、特開２００８−３６９３７号公報に記載のラインヘッドを用いることもできる。つまり、同文献のラインヘッドでは、凸レンズで構成される結像光学系がアレイ状に配置されており、各結像光学系に対向して、所定個数毎に発光素子をグループ化した発光素子グループが配置されている。
【符号の説明】
【００８５】
２１…感光体ドラム、  ２９…ラインヘッド、  ＨＣ…ヘッドコントローラー、  ＣＣ…ヘッド制御回路、  ＩＤ−Ｙ，ＩＤ−Ｍ，ＩＤ−Ｃ，ＩＤ−Ｋ…駆動電流値、  ＴＤ−Ｙ，ＴＤ−Ｍ，ＴＤ−Ｃ，ＴＤ−Ｋ…データ、  Ｉｘ−Ｙ，Ｉｘ−Ｍ，Ｉｘ−Ｃ，Ｉｘ−Ｋ…分光感度指標値、  ＣＲ…カートリッジ、  ＭＭ…メモリー、  ＳＣ…光センサー
【図１】
2011085775.tif 000004
【図２】
2011085775.tif 000005
【図３】
2011085775.tif 000006
【図４】
2011085775.tif 000007
【図５】
2011085775.tif 000008
【図６】
2011085775.tif 000009
【図７】
2011085775.tif 000010
【図８】
2011085775.tif 000011
【図９】
2011085775.tif 000012
【図１０】
2011085775.tif 000013
【図１１】
2011085775.tif 000014
【図１２】
2011085775.tif 000015
【図１３】
2011085775.tif 000016
【図１４】
2011085775.tif 000017
【図１５】
2011085775.tif 000018